(57)【特許請求の範囲】
【請求項１】
中央部に作品鑑賞用の開口部を有する表部材に、上記表部材と平面視で同じ形状に形成され上記表部材の開口部に対応する位置に作品鑑賞用の開口部を有する裏部材を接合して上記両開口部により作品の入る空間部を形成し、上記空間部の裏側にて該空間部の上下の対向側辺部にミシンステッチで作品を支える支持布を固定し、
上記支持布の左右の対向側辺部の少なくとも一方側から作品を差し替え自在としたことを特徴とする掛軸。
【請求項２】
上記ミシンステッチで作品を支える支持布を固定した箇所には、その表面に上記表部材を形成する素材を重ねて覆ったことを特徴とする請求項１記載の掛軸。
【請求項３】
上記裏部材は、上記表部材の裏側に布製の接着芯材を直接接合し、この接着芯材の裏側に表装用フィルムを用いて布製の裏地を接合したことを特徴とする請求項１又は２に記載の掛軸。
【請求項４】
上記支持布は、薄手布に布製の接着芯材を接着して形成したことを特徴とする請求項１〜３のいずれか１項に記載の掛軸。
【請求項５】
上記支持布の布製の接着芯材は、この支持布の巻き取り方向の終端部側に、その巻取り方向に平行する一側辺部から他側辺部にかけて、上記巻き取り方向と直交する方向に形成された所定の幅の切断部を有することを特徴とする請求項４記載の掛軸。
【発明の詳細な説明】
【技術分野】
【０００１】
本発明は、書、絵画等の掛軸に関し、詳しくは、作品が自在に、かつ簡単に他の作品と差し替えられ、その差し替えられた作品が本表装したかのように見えるようにした掛軸に係るものである。
【背景技術】
【０００２】
従来の掛軸は、通常、柱、天、地、一文字の他に、すじ廻しで表部材が形成され、肌裏と総裏とを接合して裏部材が形成され、この表部材並びに裏部材の肌裏と総裏を合わせて三重になっていた。そして、仕上げに、天の上辺部に八双を取り付け、地の下辺部に軸棒を取り付け、八双の上面に紐を取り付けていた。また、掛軸の材質として和紙を使用していた。
【発明の開示】
【発明が解決しようとする課題】
【０００３】
しかし、従来の掛軸においては、書や絵画等の個展あるいはグループ展のおりに作品を展示する場合、作品毎に軸装が必要となっていた。このため、この軸装に毎回多額の出費を強いられることとなり負担が大きかった。そして、やむを得ず額装にすると作品の良さがそこなわれることとなる。また、掛軸の材質として和紙を使用していたため、折れやしわに弱く傷みやすいという難点があった。そのため展覧会等のおりの取り扱いが難しく、搬入、搬出等の際に作品を傷める気遣いがあった。
【０００４】
そこで、本発明は、このような問題点に対処し、作品が自在に、かつ簡単に他の作品と差し替えられ、その差し替えられた作品が本表装したかのように見えるようにした掛軸を提供することを目的とする。
【課題を解決するための手段】
【０００５】
上記目的を達成するために、本発明による掛軸は、中央部に作品鑑賞用の開口部を有する表部材に、上記表部材と平面視で同じ形状に形成され上記表部材の開口部に対応する位置に作品鑑賞用の開口部を有する裏部材を接合して上記両開口部により作品の入る空間部を形成し、上記空間部の裏側にて該空間部の上下の対向側辺部にミシンステッチで作品を支える支持布を固定し、上記支持布の左右の対向側辺部の少なくとも一方側から作品を差し替え自在としたものである。
【０００６】
また、上記ミシンステッチで作品を支える支持布を固定した箇所には、その表面に上記表部材を形成する素材を重ねて覆ったものである。
【０００８】
さらにまた、上記裏部材は、上記表部材の裏側に布製の接着芯材を直接接合し、この接着芯材の裏側に表装用フイルムを用いて布製の裏地を接合したものである。
【０００９】
また、上記支持布は、薄手布に布製の接着芯材を接着して形成したものである。
【００１０】
さらに、上記支持布の布製の接着芯材は、この支持布の巻き取り方向の終端部側に、その巻取り方向に平行する一側辺部から他側辺部にかけて、上記巻き取り方向と直交する方向に形成された所定の幅の切断部を有するものである。
【発明の効果】
【００１１】
請求項１に係る発明によれば、表部材の中央部に設けられた作品鑑賞用の開口部と、裏部材の対応位置に設けられた作品鑑賞用の開口部とにより形成された作品の入る空間部の裏側の上下の対向側辺部にてミシンステッチで固定された支持布の、左右の対向側辺部の少なくとも一方側から自在に作品を差し替えることができる。したがって、差し替えは、いたって簡単で作品や掛軸を傷める懸念がない。また、作品１点につき１表装という従来品の経費面での負担が軽減されるので、より多くの人に掛軸に親しみ、馴染んでもらえることになる。さらに、作品を支える支持布はミシンステッチで固定するので、安定した強度があり、作品の重量によっては強度を補強することも可能であり、作品の自在な差し替えができる。そして、掛軸全体の印象は、従来通りのしなやかさを保ちながら堅牢であるため、手軽に取り扱えて掛軸も作品も傷めないという利点がある。これにより四季折々の季節に合わせたり、状況に応じた作品の飾りつけが手軽に出来るなど、楽しみ方が多岐にわたるようになる。
【００１２】
また、請求項２に係る発明によれば、上記ミシンステッチで作品を支える支持布を固定した箇所の表面に重ねられた素材により、上記支持布を固定した箇所を覆うことができる。したがって、表部材を形成する素材によってミシンステッチが隠されて表側からは見えないようになり、差し替えた作品があたかも本表装されたものであるかのように見せることができる。
【００１４】
さらに、請求項３に係る発明によれば、上記表部材の裏側に布製の接着芯材を直接接合し、この接着芯材の裏側に表装用フイルムを用いて布製の裏地を接合したことにより上記裏部材を形成することができる。したがって、裏部材として、和紙の使用を避けて布を使用することにより、掛軸本来の優美さやしなやかさを保ちながら、しわになりにくく、裏部材の強度と耐久性が飛躍的に増し、表具のいたみが大幅に軽減されて長期間の使用に耐えることができる。また、従来のものと同じように巻いて箱に収めることが出来るため、展覧会等のおりの取り扱いが簡単になり、搬入、搬出等の際も作品を傷める気遣いを少なくすることができる。
【００１５】
さらにまた、請求項４に係る発明によれば、薄手布に布製の接着芯材を接着して上記支持布を形成することができる。したがって、支持布として、和紙の使用を避けて布を使用することにより、掛軸本来の優美さやしなやかさを保ちながら、しわになりにくく、支持布の強度と耐久性を飛躍的に増すことができ、作品の頻繁な出し入れに対し、表具のいたみが大幅に軽減されて長期間の使用に耐えることができる。これにより、掛軸全体として堅牢でありながら軽量なので、地震などにそなえて飾る場所を選ぶ必要がない。また、従来のものと同じように巻いて箱に収めることが出来るため、展覧会等のおりの取り扱いが簡単になり、搬入、搬出等の際も作品を傷める気遣いを少なくすることができる。
【００１６】
また、請求項５に係る発明によれば、上記支持布の布製の接着芯材は、この支持布の巻き取り方向の終端部側にてこの巻き取り方向に直交する方向に所定の幅の切断部を有するので、掛軸を収納するとき、表を外に巻くことによって生じる内側の巻きずれ分を、上記支持布の布製の接着芯材に形成された所定の幅の切断部にたたみ込むことができる。したがって、表装の表がしわにならないようにすることができる。
【発明を実施するための最良の形態】
【００１７】
以下、本発明の実施形態を添付図面に基づいて詳細に説明する。
図１は本発明による掛軸の第一の実施形態を示す図である。この掛軸は、作品を自在に差し替えながらその作品を本表装したかのように見せるものである。
【００１８】
第一の実施形態においては、柱１、天２、地３及び一文字４から表部材５が形成され、図２に示すように、布製の接着芯材６と布製の裏地７とを接合して裏部材８が形成されている。そして、上記表部材５並びに裏部材８の接着芯材６及び裏地７を合わせて三重になっている。また、上記表部材５の中央部と上記裏部材８の対応位置にはそれぞれ作品鑑賞用の開口部が設けられており、この両開口部によって作品１０（図３参照）の入る空間部９が形成されている。そして、上記表部材５の開口部の両側辺に配置された柱１、１と、この左右の柱１、１の上端と上端との間及び下端と下端との間にそれぞれ渡された一文字４、４とによって上記空間部９の周縁が形成されている。ここで、上記接着芯材６としては、現在市販されている数十種類の縫製技術による製品のうち、温度差や湿度差による変化がなく、硬度の面でも意図する軸装に合ったものを選ぶことができる。また、裏地７には洋服用の裏地として用いられる布を使用する。そして、上記接着芯材６と裏地７とを表装用フイルム１３によって接合している。
【００１９】
また、作品１０（図３参照）の入る空間部９の裏側には、図１に示すように、作品１０を支える支持布１５が固定されている。この支持布１５は、図２に示すように、薄手布１４と接着芯材６とから成り、上記薄手布１４に接着芯材６を貼ることにより形成されている。そして、この支持布１５は、上下の一文字４、４各々の上辺又は下辺から所定の距離Ｄ1（図３参照）、例えば２.５ミリの位置にて、図１及び図２に示すように、ミシンステッチ１６で表部材５の柱１及び一文字４並びに裏部材８の接着芯材６及び裏地７に固定されている。なお、この実施形態においては、上記支持布１５は、上記空間部９の左右方向の幅よりも広幅に形成されており、上記空間部９の左右にそれぞれ約２センチの重なり量を有するように形成されている。
【００２０】
さらに、図２に示すように、上側のミシンステッチ１６の上には天２が重ねて止められており、下側のミシンステッチ１６の上には地３が重ねて止められている。詳しくは、この天２と地３は、一文字４、４の上辺又は下辺から所定の距離Ｄ2（図３参照）、例えば３ミリ重ねて表側に止められている。そして、上記天２と地３の裏面には、接着芯材６が接着されており、この接着芯材６によって上記一文字４及び柱１に接合している。これにより、ミシンステッチ１６を表側からは見えないようにすることができる。
【００２１】
さらにまた、図３に示すように、上記天２と地３（図３では地３のみ表示）の裏面に接着された接着芯材６の裏側には、表装用フイルム１３を用いて布製の裏地７が接合されている。このとき、裏地７は、その表面に接着された表装用フイルム１３によって、上記支持布１５の接着芯材６と、柱１（図２参照）の裏側の裏地７と、天２及び地３裏面に接着された接着芯材６とに接合している。
【００２２】
また、上記支持布１５の左右の対向側辺部には、図１に示すように、作品の入口１７、１７が形成されている。この作品の入口１７は、作品１０を上記空間部９内に入れるための入口となるもので、矢印Ａ又はＢに示す向きに作品１０を差し込むことにより、上記空間部９に対して作品１０を差し替えることができる。
【００２３】
さらに、上記支持布１５には、図２に示すように、切断部１８が設けられている。この切断部１８は、上記支持布１５の巻き取り時に、内側に生じる巻きずれ分を吸収するもので、矢印Ｅに示す巻き取り方向の終端部側に、その巻取り方向に平行する一側辺部から他側辺部にかけて、上記巻き取り方向と直交する方向に所定の幅、例えば１〜５センチ程度の幅を有して形成されている。
【００２４】
さらにまた、仕上げに、天２の上辺部の八双固定部１９に八双２１（図１参照）を取り付け、地３の下辺部の軸棒固定部２２に軸棒２３を取り付け、上記八双２１の上面に図示省略の紐が取り付けられる。
【００２５】
次に、このように構成された掛軸の使用状態について、図１を参照して説明する。まず、本発明の掛軸に入れる作品１０は、通常の額装と同じようにとりの子紙で裏打ちをする。そして、裏打ちをした作品１０の端から上下左右各２０ミリを残してカットし、使用する。また、既に規格サイズ（例えば半紙、懐紙、半切等）に形成されている作品１０は、裏側に厚紙（とりの子紙と同程度の厚みのもの）をセロテープ（登録商標）で接着する。作品１０に巻きぐせがある場合は逆捲きにするなど平らにして入れる。
【００２６】
次に、掛軸を収納する場合は、図４に示すように、表を外に巻いて、作品１０を支える支持布１５（図２参照）の一部に形成された裏打ち（接着芯材６）のない切断部１８によって、内側に生じるゆとりをたたみ込み、表装の表がしわにならないようにすることができる。
【００２７】
図５は、本発明による掛軸の第二の実施形態を示す図である。この掛軸は、表部材５に一文字４がない体裁となっており、代わりに空間部９の周りを飾り筋廻し２４によって縁取りしている。この場合、作品１０を支える支持布１５をその上辺部と下辺部にてミシンステッチ１６で固定し、その上に飾り筋廻し２４を止めることにより、上記ミシンステッチ１６の表面を覆うことができる。
【００２８】
図６は、本発明による掛軸の第三の実施形態を示す図である。この実施形態は、複数種の色紙を掛けることができる掛軸を示しており、中央部に色紙作品を入れる空間部９を複数、例えば三つ有している。そして、これらの空間部９の周りは各々飾り筋廻し２４によって縁取られている。この場合、作品を支える支持布１５を各々の空間部９の上辺部と下辺部にてミシンステッチ１６で固定し、その上に飾り筋廻し２４を止めることにより、上記ミシンステッチ１６の表面を覆い隠すことができる。現在、市販されている色紙掛けは、４箇所の糸で支えるようになっており、このスタイルでは重量のあるものには耐えられない弱点がある。しかし、本発明の場合は、色紙やアクリル板などの重量には充分耐えられる余地がある。
【００２９】
なお、以上の説明においては、主に、半紙、懐紙、半切及び色紙サイズの作品用の掛軸について説明しているが、本発明はこれに限られず、布（裂）、サイズ（はがき大から半切まで）の組み合わせにより多くのパターンの展開が可能である。また洋風な布地を選び、ミシンステッチ１６の上に飾り筋廻し２４の替りに飾りテープを張ってミシンステッチ１６を隠し、立体感を出すことによってデッサン額とすることもできる。この場合、八双２１と軸棒２３の替りに角材を使用するとよい。そのほか水彩用額、はがき用額、写真用額等を作製し、アクリル板でそれらの作品を保護するようにすることも出来る。
【図面の簡単な説明】
【００３０】
【図１】本発明による掛軸の第一の実施形態を示す斜視図である。
【図２】上記掛軸の構造を示す分解斜視図である。
【図３】図１に示す掛軸の下側の一文字部分を縦断面した拡大端面図である。
【図４】上記掛軸を外表に巻いた外観図である。
【図５】本発明による掛軸の第二の実施形態を示す分解斜視図である。
【図６】本発明による掛軸の第三の実施形態を示す分解斜視図である。
【符号の説明】
【００３１】
１…柱（表部材を形成する素材）
２…天（表部材を形成する素材）
３…地（表部材を形成する素材）
４…一文字（表部材を形成する素材）
５…表部材
６…接着芯材
７…裏地
８…裏部材
９…作品を入れる空間部
１０…作品
１３…表装用フイルム
１４…薄手布
１５…支持布
１６…ミシンステッチ
１７…作品の入口
１８…切断部
１９…八双固定部
２１…八双
２２…軸棒固定部
２３…軸棒
２４…飾り筋廻し（表部材を形成する素材）
【図１】
0004596874.tif 000002
【図２】
0004596874.tif 000003
【図３】
0004596874.tif 000004
【図４】
0004596874.tif 000005
【図５】
0004596874.tif 000006
【図６】
0004596874.tif 000007